(57)【要約】【課題】従来の光ピックアップの光軸測定調整装置における３点煽り機構では、各軸調整ステージが取り付く煽り板がベースプレートに固定されていないので、振動や衝撃で微妙な位置変化を生じ得ない機構が期待されていた。【解決手段】煽り板（２）において、マイクロメータ（３ａ）の３箇所を３頂点とする三角形の中心位置に自在ジョイント（９ａ）を配置し、自在ジョイント（９ａ）の軸（３ｂ）の先端をベースプレート（４）に固定し、マイクロメータ（３ａ）の３箇所を３頂点とする三角形の内側に、１箇所或いは数箇所に貫通孔（１０）を設け、該貫通孔（１０）にベースプレート（４）に固定するボルト（１１）を貫通させ、丸座金（１２）とナット（１３）でベースプレート（４）と煽り板（２）を固定する。【選択図】　　図２
2004095101.tif 000002
【特許請求の範囲】
【請求項１】
各軸調整ステージや光ピックアップ用治具を上部又は下部に配置した、ベースプレートに対して３点煽り機構を有する煽り板において、３箇所の煽り点の中心或いは略中心位置に自在ジョイントを設けて煽り板とベースプレートとの水平方向規制と傾斜角度を保持させることで光ピックアップの光軸測定及び調整を容易にする光ピックアップの光軸測定調整装置の３点煽り機構。
【発明の詳細な説明】
【０００１】
【発明の属する技術分野】
本発明は、ＣＤやＤＶＤ等に対する光ピックアップの光軸測定調整装置における３点煽り機構に関するものである。
【０００２】
【従来の技術】
従来、光ピックアップの光軸測定調整装置における３点煽り機構の代わりに、ゴニオステージとＺステージを利用する機構があった。このゴニオステージとは、Ｘ軸、Ｙ軸及び夫々の角度調整をステージを回転させることで調整する機構である。このゴニオステージとＺステージを組み合わせる事で軸調整を行っていた。
又、図１に示す方式の煽り機構があった。ＸＹテーブル等の各軸調整ステージや光ピックアップ用治具（１）が配置される煽り板（２）の３箇所にマイクロメータ（３ａ）を取り付け、煽り板（２）の下方にベースプレート（４）を設ける。ベースプレート（４）にはマイクロメータ（３ａ）の軸（３ｂ）の先端が嵌入する溝（５）が設けられる。更に、煽り板（２）とベースプレート（４）はバネ（６）で強く引き合う。煽り板（２）の上部には各軸調整ステージ（１）が配置され、３箇所のマイクロメータ（３ａ）を調整することで被対象物（ＣＤやＤＶＤ等）と光ピックアップとのＺ軸及び角度調整を行うものであった。
【０００３】
【発明が解決しようとする課題】
従来の図１のような光ピックアップの光軸測定調整装置における３点煽り機構では、各軸調整ステージ（１）が配置される煽り板（２）に取り付く３箇所のマイクロメータ（３ａ）を調整することで、煽り板（２）とベースプレート（４）との距離や角度を調整していた。しかし、マイクロメータ（３ａ）の軸（３ｂ）の先端は溝（５）を滑動する規制と、バネ（６）による煽り板（２）とベースプレート（４）の摩擦力を利用しての規制だけでは十分な精度を得ることが困難であった。つまり、振動や衝撃で僅かではあるが位置変化が起こり得るので、光ピックアップの光軸測定調整の精度が問われる結果となっていた。
【０００４】
【課題を解決するための手段】
従来の光ピックアップの光軸測定調整装置における３点煽り機構の問題点は、各軸調整ステージ（１）が取り付く煽り板（２）がベースプレート（４）に固定されていなく、振動や衝撃で微妙なずれ（位置変化）を生じる点であった。
そこで、従来の３点煽り機構の欠点を鑑みて、次の方法により煽り板（２）とベースプレート（４）を固定する方式を採る。
煽り板（２）は３箇所のマイクロメータ（３ａ）でベースプレート（４）との距離及び角度を調整する点は同様とし、煽り板（２）とベースプレート（４）とを自在ジョイントで連結して煽り板（２）の位置変化を極力防止する。更に、３箇所のマイクロメータ（３ａ）による調整終了後、煽り板（２）とベースプレート（４）を固定する機構を新たに設ける。
【０００５】
【発明の実施の形態】
図２において説明する。
本図は、本発明の分解図である。
ベースプレート（４）の上方に煽り板（２）を設け、煽り板（２）の３箇所にマイクロメータ（３ａ）を下向きで取り付ける。本図では、マイクロメータ（３ａ）を煽り板（２）の孔に嵌入してロックナット（７）で固定しているが、煽り板（２）にネジ山を設けてマイクロメータ（３ａ）をねじ込んでもよい。
この３箇所のマイクロメータ（３ａ）の位置は、正三角形の頂点に配置すると調整が容易になるので、この配置が好ましい。マイクロメータ（３ａ）の軸（３ｂ）の先端は、ベースプレート（４）に取り付くピン（８）と夫々を当接させる。ここで、ベースプレート（４）に十分な強度と硬度がある場合にはピン（８）を省略してもよい。
煽り板（２）において、マイクロメータ（３ａ）の３箇所を３頂点とする三角形の中心位置に自在ジョイント（９ａ）を配置し、自在ジョイント（９ａ）のジョイント軸（９ｂ）の先端をベースプレート（４）に固定する。更に、マイクロメータ（３ａ）の３箇所を３頂点とする三角形の内側に、１箇所或いは数箇所に貫通孔（１０）を設け、該貫通孔（１０）にベースプレート（４）に固定されたボルト（１１）を貫通させ、丸座金（１２）とナット（１３）でベースプレート（４）と煽り板（２）を固定する。
煽り板（２）の上部にプレート（１４）を設け、煽り板（２）とプレート（１４）とをスペーサ（１５）を介してボルト等で固定する。このプレート（１４）の上部に各軸調整ステージ（１）を配置する。
【０００６】
【実施例】
図３において説明する。
本図は本発明の実施例の正面断面図である。
ベースプレート（４）の上方に煽り板（２）を設け、煽り板（２）の３箇所（本図では２箇所のみ表示）にマイクロメータ（３ａ）を下向きに取り付け、ロックナット（７）で固定する。この３箇所のマイクロメータ（３ａ）の位置は、正三角形の頂点に配置すると調整が容易になるので、この配置とする。マイクロメータ（３ａ）の軸（３ｂ）の先端は、ベースプレート（４）に取り付くピン（８）と夫々が当接する。本図ではピン（８）をベースプレート（４）にねじ込む方法としたが、嵌合させる方法でもよい。
煽り板（２）において、マイクロメータ（３ａ）の３箇所を３頂点とする三角形の中心位置に自在ジョイント（９ａ）を配置する。
ここで、自在ジョイント（９ａ）とは、ジョイント軸（９ｂ）がブッシュ（９ｃ）内を滑動し、更にブッシュ（９ｃ）は自在ジョイント（９ａ）のケーシング内で回転するパーツであり、ジョイント軸（９ｂ）の垂直移動と傾斜を可能としている。自在ジョイント（９ａ）のジョイント軸（９ｂ）の先端をベースプレート（４）に固定することで、煽り板（２）はベースプレート（４）に対して、間隔と傾斜角度を自由に変化させることが可能となる。
次に、マイクロメータ（３ａ）の３箇所を３頂点とする三角形の内側の２箇所に貫通孔（１０）を設ける。貫通孔（１０）にベースプレート（４）に固定されたボルト（１１）を貫通させ、煽り板（２）の上方において、ボルト（１１）に丸座金（１２）を通し、ナット（１３）でベースプレート（４）と煽り板（２）を緩く固定する。
次に、煽り板（２）の上部にプレート（１４）を設け、煽り板（２）とプレート（１４）とをスペーサ（１５）を介してボルト（１１）で固定する。このプレート（１４）の上部には各軸調整ステージ（１）が配置される。
以上、各部品の配置は決定したが、光ピックアップと各軸調整ステージ（１）の位置及び光軸調整前では、ベースプレート（４）と煽り板（２）との距離と角度（θ）が調整されていない。そこで、自在ジョイント（９ａ）の働きで煽り板（２）のベースプレート（４）に対する水平方向（Ｘ軸及びＹ軸）の移動を規制されるが、垂直方向（Ｚ軸）と傾斜に対しては自由であるので、３箇所のマイクロメータ（３ａ）を調整することでベースプレート（４）と煽り板（２）との距離と角度を決めることができる。
又、貫通孔（１０）はボルト（１１）に対して十分な大きさ（アソビ）を有するので、煽り板（２）の傾斜に対しても対応でき、水平移動に対する規制効果もある。そして、座金はベースプレート（４）と煽り板（２）との傾斜を考慮して平座金ではなく丸座金（１２）とする。
【０００７】
図４において説明する。
本図はマイクロメータの調整後を示す正面断面図である。
光ピックアップと各軸調整ステージ（１）の位置及び光軸調整が終了すると、ベースプレート（４）に対する煽り板（２）の位置決めが終了するので、ナット（１３）で固定する。
【０００８】
【発明の効果】
本発明は上記のように構成されるので以下の効果を奏する。
従来の光ピックアップの光軸測定調整装置における３点煽り機構では、各軸調整ステージが取り付く煽り板がベースプレートに固定されていないので、マイクロメータを調整する際に、マイクロメータの軸先端が、溝を滑動するだけでは煽り板のベースプレートに対する基準がなく、煽り板の位置決めが困難であった。又、調整後であっても、マイクロメータの先端が、ベースプレートに設けられた溝に嵌入され、バネ力を利用して煽り板とベースプレートを固定する方法では、強力なバネ力によって煽り板とベースプレートは略固定されているが、バネ力に抗して強度の振動や衝撃が外部から加わった場合には微妙なずれ（位置変化）を生じる可能性があった。
しかし、本発明では、煽り板とベースプレートとを自在ジョイントで連結することで煽り板のベースプレートに対する基準が決まるので微調整が可能となり、外部からの振動や衝撃に対して対応できる強度を持つに至った。更に、調整後はボルト、ナット、丸座金を使った煽り板とベースプレートの相互固定機構を追加したので、外部要因からの更なる精度保持が可能となった。
一方、従来より使われているゴニオステージは高価であったが、本発明の３点煽り機構を使うことで、光ピックアップの光軸測定調整装置の製造コスト低減が可能となった。
【図面の簡単な説明】
【図１】従来の光ピックアップの光軸測定調整装置における３点煽り機構を示す図である。
【図２】本発明の分解図である。
【図３】本発明の実施例の調整前を示す正面断面図である。
【図４】本発明の実施例の調整後を示す正面断面図である。
【符号の説明】
１　　　　　各軸調整ステージ
２　　　　　煽り板
３ａ　　　　マイクロメータ
３ｂ　　　　軸
４　　　　　ベースプレート
５　　　　　溝
６　　　　　バネ
７　　　　　ロックナット
８　　　　　ピン
９ａ　　　　自在ジョイント
９ｂ　　　　ジョイント軸
９ｃ　　　　ブッシュ
１０　　　　　貫通孔
１１　　　　　ボルト
１２　　　　　丸座金
１３　　　　　ナット
１４　　　　　プレート
１５　　　　　スペーサ
【図１】
2004095101.tif 000003
【図２】
2004095101.tif 000004
【図３】
2004095101.tif 000005
【図４】
2004095101.tif 000006